(57)【特許請求の範囲】
【請求項１】
床スラブ上に設置され上方へ延出される支持部と、該支持部の上部に配置されるベース部と、リフト運搬車のフォークを差し込み可能な差込部、を有する基台と、
前記ベース部よりも下側で前記基台に設置され、水廻り器具からの排水を一時的に貯留可能な貯留空間が構成され、横引き管の接続部が構成された貯留槽と、
前記基台の前記ベース部よりも下側に設置され、下流端が前記貯留槽に接続され上流端が前記水廻り器具に接続される配管部と、
を備えた、サイフォン排水システムユニット。
【請求項２】
前記基台は、箱状とされていること、を特徴とする請求項１に記載のサイフォン排水システムユニット。
【請求項３】
前記水廻り器具が少なくとも１つ前記ベース部上に設置されていること、を特徴とする請求項１または請求項２に記載のサイフォン排水システムユニット。
【請求項４】
前記水廻り器具は、ユニットバス、洗面台、及び、洗濯防水パン、の少なくとも１つを含んでいること、を特徴とする請求項１〜３のいずれか１項に記載のサイフォン排水システムユニット。
【請求項５】
請求項１〜請求項４のいずれか１項に記載のサイフォン排水システムユニットを組み立て、
設置箇所へ前記サイフォン排水システムユニットを移動させ、
前記サイフォン排水システムユニットの横引き管を竪管と接続し、
前記基台のベース部上に床仕上げ処理を行う、
サイフォン排水システム施工方法。
【発明の詳細な説明】
【技術分野】
【０００１】
本発明は、サイフォン力を用いて排水を行うサイフォン排水システムに用いられる、サイフォン排水システムユニット、及び、このサイフォン排水システムユニットを用いたサイフォン排水システムの施工方法に関する。
【背景技術】
【０００２】
近年、従来の勾配排水システムに代わって、サイフォン排水システムが提案されている。サイフォン排水システムは、特許文献１、２に記載されるように、水廻り器具とサイフォン排水管を含んで構成されており、サイフォン排水管は、床スラブに沿って無勾配で配管された横引き管、及び、垂下部をなす竪管で構成されている。そして、サイフォン排水システムでは、竪管にて発生するサイフォン力（負圧力）を利用して、水廻り器具からの排水効率の向上が図られている。
【０００３】
サイフォン排水システムにおいては、水廻り器具から排出された排水はサイフォン排水管に流入し、サイフォン排水管の水平部をなす横引き管及びサイフォン排水管の垂下部をなす竪管を満たす。サイフォン排水管の竪管が排水で満たされると、竪管内の排水は重力により落下し、竪管における水頭差に対応する吸引力、即ちサイフォン力が発生するため、このサイフォン力により横引き管内の排水が下流へ向かって吸引され流下する。
【０００４】
ところで、従来の勾配排水の場合には、バリアフリー対応のユニットバスにおいて、フロア全体の床高さをなるべく低く設置しようとした場合、低床であれば、水廻り器具が設置される部分の躯体を落とし込んで排水管に勾配をつける必要があった。したがって、リフォームを行う場合でも、水廻り器具の移動は従来設置された部分に設置しなければならなかった。
【０００５】
一方、前述のサイフォン排水システムにおいては、横引き管は、床スラブに沿って無勾配で配管されるため、従来の勾配排水のように躯体を落とし込んで勾配をつける必要がなく、水廻り器具の移動の自由度が高いというメリットがある。
【先行技術文献】
【特許文献】
【０００６】
【特許文献１】特開２０００−２９７４４７号公報
【特許文献２】特開２００３−２０１７２７号公報
【発明の概要】
【発明が解決しようとする課題】
【０００７】
本発明は、上記事実を考慮して成されたものであり、サイフォン排水システムにおいて、水廻り器具の設置及び移動を容易に行うことを可能にする、サイフォン排水システムユニット、及び、このサイフォン排水システムユニットを用いたサイフォン排水システム施工方法を提供することを目的とする。
【課題を解決するための手段】
【０００８】
本発明の請求項１に係るサイフォン排水システムユニットは、床スラブ上に設置され上方へ延出される支持部と、該支持部の上部に配置されるベース部と、リフト運搬車のフォークを差し込み可能な差込部、を有する基台と、前記ベース部よりも下側で前記基台に設置され、水廻り器具からの排水を一時的に貯留可能な貯留空間が構成され、横引き管の接続部が構成された貯留槽と、前記基台の前記ベース部よりも下側に設置され、下流端が前記貯留槽に接続され上流端が前記水廻り器具に接続される配管部と、を備えている。
【０００９】
上記構成のサイフォン排水システムユニットの基台は、支持部と、支持部の上部に配置されるベース部を備えている。支持部は、床スラブ上に設置されて上方へ延出されており、上部に配置されたベース部を支持することができる。また、基台は、リフト運搬車のフォークを差し込み可能な差込部を有しているので、基台をフォーク付きのリフト運搬車で容易に運搬することができる。
【００１０】
また、上記構成のサイフォン排水システムユニットでは、基台のベース部よりも下側には貯留槽及び水廻り器具に接続される配管部が設置されている。
【００１１】
このように、貯留槽、及び、貯留槽に接続される水廻り器具用の配管部を基台に設置して事前にユニット化しておくことにより、容易に施工工事を行うことができる。また、リフォームの際にも、基台を移動させることにより、容易に配管部、貯留槽を移動させることができる。また、基台のベース部を床部材として用い、支持部を支柱として用いることにより、水廻り器具の近傍の床構造とすることができる。
【００１２】
本発明の請求項２に係るサイフォン排水システムユニットは、前記基台が、箱状とされていること、を特徴とする。
【００１３】
このように、基台を箱状とすることにより、箱の側面を支持部として用いることができる。
【００１４】
本発明の請求項３に係るサイフォン排水システムユニットは、前記水廻り器具が少なくとも１つ前記ベース部上に設置されていること、を特徴とする。
【００１５】
このように、水廻り器具をベース部上に設置したユニットとすることにより、当該水廻り器具を現場で接続する必要がなく、容易に施工工事を行うことができる。
【００１６】
本発明の請求項４に係るサイフォン排水システム施工方法は、請求項１〜請求項３のいずれか１項に記載のサイフォン排水システムユニットを組み立て、設置箇所へ前記サイフォン排水システムユニットを移動させ、前記サイフォン排水システムユニットの横引き管を竪管と接続し、前記基台のベース部上に床仕上げ処理を行う、ものである。
【００１７】
ここで、床仕上げ処理は、ベース部が床下地材を兼ねるものであれば、床仕上げ処理として仕上げ材を施す処理になり、ベース部が床下地材を兼ねるものでない場合には、床仕上げ処理として下地材、仕上げ材を施す処理になる。このように、サイフォン排水システムユニットを組み立てた後に設置箇所へ移動させることにより、各々の設置箇所での作業を簡易にすることができ、効率よく設置することができる。また、基台のベース部上に床仕上げ処理を行うだけで、簡易に床を構成することができる。
【発明の効果】
【００１８】
本発明は、上記構成としたので、サイフォン排水システムにおいて、水廻り器具の設置及び移動を容易に行うことができる。
【図面の簡単な説明】
【００１９】
【図１】本実施形態に係るサイフォン排水システムの全体構成を示す概略図である。
【図２】本実施形態に係るサイフォン排水システムユニットの斜視図である。
【図３】本実施形態に係るサイフォン排水システムユニットの側面拡大概略図である。
【図４】本実施形態に係るサイフォン排水システムの貯留槽の基台への取付例（Ａ）（Ｂ）を示す説明図である。
【図５】本実施形態の貯留槽の内部を示す斜視図である。
【図６】本実施形態のサイフォン排水システムユニットを用いて施工する場合の運搬説明図である。
【図７】本実施形態の変形例に係るサイフォン排水システムユニットの側面拡大概略図である。
【図８】本実施形態の他の変形例に係るサイフォン排水システムユニットの側面拡大概略図である。
【図９】本実施形態の変形例に係るサイフォン排水システムユニットの斜視図である。
【図１０】本実施形態の他の変形例に係るサイフォン排水システムユニットの側面拡大概略図である。
【発明を実施するための形態】
【００２０】
以下に、本発明に係るサイフォン排水システムユニットについて、図面に基づき説明する。図１には、本発明の実施形態に係るサイフォン排水システム１０の全体構成が示されている。
【００２１】
サイフォン排水システム１０は、複数階で構成された集合住宅に用いられ、図１に示すように、排水を下方へ流す排水立て管１２を備えている。この排水立て管１２は、集合住宅の上下方向（縦方向）に延設され、集合住宅の各階の床スラブ１４を貫いている。本発明のサイフォン排水システムユニット２０は、このサイフォン排水システム１０において使用される。
【００２２】
図２に示すように、サイフォン排水システムユニット２０は、基台２２、貯留槽３０、及び、配管部１８Ａ〜１８Ｃを備えている。
【００２３】
基台２２は、下面が開放された箱状とされ、支持部２２Ａ及びベース部２２Ｂを有している。支持部２２Ａは、基台２２の側部枠を構成し、床スラブ１４上に設置され床スラブ１４から上方へ延出されている。支持部２２Ａには、側方からリフト運搬車５２（例えば、フォークリフトやハンドリフター）のフォーク５２Ｆ（図６参照）を差し込み可能とする、差込部２３が構成されている。
【００２４】
ベース部２２Ｂは、角板状とされ、支持部２２Ａの上部に配置されている。支持部２２Ａは、ベース部２２Ｂの４辺に沿って各々配置されている。ベース部２２Ｂの上部には、洗面台２６が設置される。また、ベース部２２Ｂには、設置凹部２２Ｉが構成されており、設置凹部２２Ｉには、洗濯防水パン２８が設置される。
【００２５】
図３にも示されるように、支持部２２Ａとベース部２２Ｂに囲まれた基台２２の内部には、中空部２２Ｒが構成されている。差込部２３にリフト運搬車５２のフォーク５２Ｆが差し込まれて中空部２２Ｒに入り込み、フォーク５２Ｆをベース部２２Ｂの下面に当接させて持ち上げることにより、基台２２を持ち上げて運搬することができるようになっている。
【００２６】
ベース部２２Ｂの上面の高さは、床スラブ１４の上に設置される二重床の下地材５４の上面と同じ高さになるように（ベース部２２Ｂと下地材５４とが面一となるように）、支持部２２Ａの高さ、及びベース部２２Ｂの厚みが設定されている。これにより、基台２２で二重床の支柱５３、下地材５４を兼ねることができる。ベース部２２Ｂの上面には、仕上げ材５６が貼り付けられる。
【００２７】
なお、基台２２は、金属製、木製、樹脂製とすることができる。樹脂製とすることにより、形状の自由度が高くなり、後述する吊り下げ保持具４４、４６などを、一体的に形成することができる。
【００２８】
ベース部２２Ｂの下面（裏面）側には、貯留槽３０が設置されている。貯留槽３０は、水廻り器具としての、ユニットバス２４、洗面台２６、洗濯防水パン２８からの排水を一時貯留するためのものである。図５に示されるように、貯留槽３０の内部には、排水を一時貯留するための貯留空間３２が構成されている。貯留空間３２は、仕切部材３３によって３つの個別貯留部３２Ａ、３２Ｂ、３２Ｃに区画されている。
【００２９】
なお、貯留槽３０のベース部２２Ｂへの設置は、図４（Ａ）に示すように、保持具４０により中空に保持することにより行ったり、図４（Ｂ）に示すように、貯留槽３０が床スラブ１４上に載置されるようにベース部２２Ｂから距離を保って係止具４２で取り付けたりすることにより行うことができる。
【００３０】
ベース部２２Ｂの上部には、洗面台２６、及び、洗濯防水パン２８が設置されている。ユニットバス２４は、基台２２の側方に設置されている。ユニットバス２４の底面は、ベース部２２Ｂの上面よりも低い位置に配置されている。ユニットバス２４、洗面台２６、及び、洗濯防水パン２８の各々の排水口１７には、配管部１８Ａ、１８Ｂ、１８Ｃの一端が各々接続されている。各々の配管部１８Ａ、１８Ｂ、１８Ｃの他端は、貯留槽３０の個別貯留部３２Ａ、３２Ｂ、３２Ｃの上流側へ各々接続されている。図３に示されるように、配管部１８Ａ、１８Ｂ、１８Ｃの中間部は、各々、吊り下げ保持具４４により保持されている。吊り下げ保持具４４は、一方側がベース部２２Ｂに固定され、他方側が配管部１８Ａ、１８Ｂ、１８Ｃの中間部を保持している。吊り下げ保持具４４は、ベース部２２Ｂと一体的に構成されていても、別体であってもよい。
【００３１】
貯留槽３０の下流側には、連結部３１が形成され、連結部３１に横引き管３４Ａ、３４Ｂ、３４Ｃの上端が接続されている。横引き管３４Ａ、３４Ｂ、３４Ｃは、個別貯留部３２Ａ、３２Ｂ、３２Ｃの下流側の連結部３１へ各々接続されている。横引き管３４Ａ、３４Ｂ、３４Ｃは、基台２２の支持部２２Ａに構成された穴２２Ｈから基台２２の外側へ延出され、床スラブ１４上で水平方向に無勾配で配設される。横引き管３４Ａ、３４Ｂ、３４Ｃの中間部は、各々、吊り下げ保持具４６により保持されている。吊り下げ保持具４６は、一方側がベース部２２Ｂに固定され、他方側が横引き管３４Ａ、３４Ｂ、３４Ｃの中間部を保持している。吊り下げ保持具４６は、ベース部２２Ｂと一体的に構成されていても、別体であってもよい。
【００３２】
図１に示されるように、サイフォン排水システムユニット２０の横引き管３４Ａ、３４Ｂ、３４Ｃ（以下これらをまとめて「横引き管３４」という）の下流端は、サイフォン排水システム１０の竪管３６に接続されている。横引き管３４と竪管３６によりサイフォン排水管３８が構成されている。竪管３６は、排水立て管１２に沿って、上下方向（鉛直方向）に配設されている。この竪管３６は、合流部継手５０を介して排水立て管１２と連結されている。合流部継手５０は、竪管３６からの排水を排水立て管１２へ合流させる。
【００３３】
横引き管３４及び竪管３６は、合流部継手５０までは他の排水管と途中で合流することなく、連続した排水管で構成され、排水立て管１２へ排水を導くようになっている。また、横引き管３４及び竪管３６は、排水が満流で流れるように管の内径が設定されている。横引き管３４内の排水には、サイフォン水頭Ｈｓのエネルギーにより、排水方向へ向かうサイフォン力が作用される。
【００３４】
上記のサイフォン排水システムユニット２０は、出荷前、あるいは、出荷後に施工現場の建物外の仮組ヤードで組み立てることができる。出荷前に組み立てておけば、施工現場での作業を少なくすることができ、工期の短縮を図れる。また、出荷後に組み立てる場合でも、施工現場の建物外の仮組ヤードで、設置作業とは別に建物外の仮組ヤードでサイフォン排水システムユニット２０の組み立て作業を行うことができるので、集合住宅へ設置する場合には、組み立て作業と設置作業の工程を並列的にスケジューリングすることにより、少ない作業員数で効率よく作業を行うことができる。
【００３５】
なお、サイフォン排水システムユニット２０としての、最小構成要素は、基台２２、貯留槽３０、及び、配管部１８Ａ〜１８Ｃである。これらに加えて、洗面台２６、洗濯防水パン２８などの水廻り器具や横引き管３４をサイフォン排水システムユニット２０に加えてもよい。
【００３６】
上記のサイフォン排水システムユニット２０を設置する場合には、図６に示されるように、リフト運搬車５２のフォーク５２Ｆを基台２２の差込部２３に差し込み、設置場所まで移動させる。集合住宅の２階以上に設置する場合には、クレーンＫで荷上げをして、リフト運搬車５２で設置場所まで移動させる。そして、サイフォン排水システムユニット２０を床スラブ１４上の所定の設置箇所へ置く。そして、ユニットバス２４、洗面台２６、及び、洗濯防水パン２８と配管部１８Ａ〜１８Ｃを接続し、横引き管３４を連結部３１及び竪管３６と接続する。
【００３７】
本実施形態のサイフォン排水システムユニット２０は、基台２２に、貯留槽３０が設置され、ユニットバス２４、洗面台２６、洗濯防水パン２８と接続される配管部１８Ａ〜１８Ｃも設置されている。そして、基台２２ごと、リフト運搬車５２で運搬することができる。したがって、予め出荷前に組み立てておいても、施工現場へ容易に運搬することができる。また、施工現場建物内での作業を少なくすることができる。
【００３８】
また、リフォーム時においても、基台２２ごと移動させることにより、配管作業等を、大幅に少なくすることができる。さらに、サイフォン排水システムにおいては、床スラブに落とし込みの段差部がないので、リフォーム時に、自由に水廻り器具を移動させることができ、リフォームプランの自由度を高くすることができる。
【００３９】
なお、本実施形態では、基台２２を箱状としたが、他の形状、例えば、図７に示されるように、ベース部２２Ｂの下面に支持部として複数の支柱２１を設けた基台２２−１の構成にすることもできる。この場合には、フォークリフト５２のフォーク５２Ｆを、支柱２１を避けてベース部２２Ｂの下面側に差し込むことができる。
【００４０】
また、図８に示されるように、支持部２２Ａの下側にベース部２２Ｂに対向するように下板２２Ｄを設け、下側が閉鎖された箱状の基台２２−２としてもよい。この場合には、貯留槽３０を下板２２Ｄ上に載置して設置することができる。また、器具排水管１８及び横引き管３４についても、ベース部２２Ｂから吊り下げ保持具４４、４６で吊り下げるのではなく、下板２２Ｄ上に保持部材４５Ａ、４５Ｂで簡易に保持することができる。
【００４１】
また、本実施形態では、水廻り器具として、洗面台２６、洗濯防水パン２８を基台２２に設置したが、その他の水廻り器具、例えば、キッチンの流し台を設置してもよい。また、ユニットバス２４を基台２２上に設置してもよい。この場合には、図９に示すように、ユニットバス２４の設置部分のベース部２２Ｂの高さを下げることにより、バリアフリー対応にすることができる。
【００４２】
また、本実施形態では、基台２２のベース部２２Ｂの上面の高さは、二重床の下地材５４の上面と同じ高さになるように設定された例について説明したが、ベース部２２Ｂの上面の高さは、図１０に示すように、二重床の下地材５４の下面と同じ高さになるように設定してもよい。この場合には、ベース部２２Ｂの上面に他の部分と同様に下地材５４を設置すればよい。この場合でも、基台２２は、二重床の支柱５３を兼ねることができる。
【符号の説明】
【００４３】
１０   サイフォン排水システム
１４   床スラブ
１８   器具排水管
２０   サイフォン排水システムユニット
２２Ｂ ベース部
２２   基台
２２Ａ 支持部
２３   差込部
２４   ユニットバス
２６   洗面台
２８   洗濯防水パン
３０   貯留槽
３４   横引き管
３６   竪管
３８   サイフォン排水管
【図１】
0005840556.tif 000002
【図２】
0005840556.tif 000003
【図３】
0005840556.tif 000004
【図４】
0005840556.tif 000005
【図５】
0005840556.tif 000006
【図６】
0005840556.tif 000007
【図７】
0005840556.tif 000008
【図８】
0005840556.tif 000009
【図９】
0005840556.tif 000010
【図１０】
0005840556.tif 000011